(57)【要約】      （修正有）【課題】木の枝打ちの際に木登りをするときに、木に傷を付けない、木に優しく、安全であるスチールワイヤーを利用した木登り道具を提供する。【解決手段】特殊下駄３，３Ａの後方の内側にスチールワイヤー２，２Ａを固定する（スチールワイヤー止め具１４、１４Ａで押さえ固定する）片方のスチールワイヤー２、２Ａを木１の太さにおうよそ巻けその余り部分を、特殊下駄３、３Ａ前方にあるスチールワイヤー押さえカム６、６Ａに挟み込み、スチールワイヤー押さえカムハンドル１５、１５Ａを少々回すことで完全にロックされる、次に長靴１０，１０Ａを履いて、特殊下駄３、３Ａにセットする。このままどちらかの足を持ち上げて、体重を掛ける、交互に足を上げて体重を掛けていけば順次木登り可能である。【選択図】図１
2006014712.tif 000002
【特許請求の範囲】
【請求項１】
特殊下駄にスチールワイヤーを用いて、  スチールワイヤーを木に巻きつけ  長靴を履き特殊下駄にセットして、左右交合に足を上げて体重を置きながら木登りする  スチールワイヤーを利用した木登り用具。
【請求項２】
側面プレート（１８）（１９）（１８Ａ）（１９Ａ）の付いた特殊下駄のスチールワイヤーを利用した木登り用具。
【請求項３】
請求項１に係る  ワイヤー押さえ変心カム（６）（６Ａ）の下にスチールワイヤー（２）（２Ａ）を挟みワイヤー押さえ変心カムハンドル（１５）（１５Ａ）を回し完全にロックする、この方法によりスチールワイヤー（２）（２Ａ）の長さを自由に自在に調整を可能にしたスチールワイヤーを利用した木登り用具。
【発明の詳細な説明】
【技術分野】
【０００１】  本発明は木の枝打の際に木登りをする時に利用するものである、金属性の特殊下駄（３）（３Ａ）にスチールワイヤー（２）（２Ａ）を固定します、スチールワイヤー（２）（２Ａ）を木の太さにおおよそ合わせてスチールワイヤーをワイヤー押さえカム（６）（６Ａ）の下に挟みワイヤー押さえカムハンドル（１５）（１５Ａ）回してでロックします、左右交互足に体重を掛けながら特殊下駄（３）（３Ａ）を上げて登っていきます。木に爪を立てずにして登る事を可能にした物である。
【背景技術】
【０００２】  従来の木登りなどは長靴の左右の内側に爪の付いた金具をセットして木に爪をかち込みながら木登りするものであった、この場合の大きな欠点は爪が十分に刺さっていないと、体重を掛けた時にずり落ちる危険がある、又木に爪を刺しながら登ると言うことは木に傷をつける事になるり、良い方法ではないなどの欠点があった。【０００３】  最近は１本梯子もありますが、高いところだと梯子が揺れて安定しないから危険である。又足置き金具を木にベルトで締め付けて足置き金具を何十個もの固定して行く方法もあるようです、足置き金具を何十個もの取り扱うと言う事は、コスト面でも高くなり、取り付ける手間も馬鹿にならない問題多い。
【発明の開示】
【発明が解決しようとする課題】
【０００４】杉の木の植林が進む中、背景技術で説明しました事を踏まえて、本発明は安全面とコスト面と能率と木に優しくといった事を取り入れて解決しようとする物である。
【課題を解決するための手段】
【０００５】  図１に示した特殊下駄の後方の内側にスチールワイヤー（２）（２Ａ）を固定する（スチールワイヤー止め具（１４）（１４Ａ）で押さえる）、片方のスチールワイヤー（２）（２Ａ）を木の太さに大体合わせ木に巻くその余りの部分を特殊下駄（３）（３Ａ）の前方にあるスチールワイヤー押さえカム（６）（６Ａ）に挟み込みワイヤー押さえカムハンドル（１５）（１５Ａ）を少々回してロックする、次に長靴を履き左右の特殊下駄（３）（３Ａ）にセットします、このまま左足を持ち上げ体重を掛ける、次右足を上げて体重を掛ける交合に足をあげれば順次木登りするものである。しかし、従来の木登り及び本発明であっても安全ベルトは欠かせない、安全ベルトは木に巻きベルトの両端の金具を腰のベルトのフックに引っ掛けて体を支える物である。
【発明の効果】
【０００６】  課題を解決するための手段でも述べたようにスチールワイヤーは特殊下駄（３）（３Ａ）の後方内側に常時固定（スチールワイヤー止め金具（１４）（１４Ａ）で押さえる）、反対のワイヤーの端を木に巻きスチールワイヤー押さえカム（６）（６Ａ）に挟み込みワイヤー押さえカムハンドル（１５）（１５Ａ）でロックする、特殊下駄（３）（３Ａ）に体重が掛かるとスチールワイヤー押さえカム（６）（６Ａ）の中心がずれているためにスチールワイヤー押さえるカム（６）（６Ａ）が余けいにワイヤーを押さえ付けるので緩む事がない、交合に足をあげれば順次木登りするものであり。木に傷が付かず木に優しく確実に効果がある。
【発明を実施する為の最良の形態】
【０００７】  本発明は木の枝打ちのために木登りを容易にし、かつ木に優しい事をもっととする、特殊下駄（３）（３Ａ）にスチールワイヤー（２）（２Ａ）を固定する。反対のワイヤーの端を木に巻きスチールワイヤー押さえカム（６）（６Ａ）に挟み込みワイヤー押さえカムハンドル（１５）（１５Ａ）でロックして、次に左右長靴（１０）（１０Ａ）を履き特殊下駄（３）（３Ａ）のベルト（９）（９Ａ）に掛けてさらに長靴の後方からもベルト（１２）（１２Ａ）でセットします。後は上になっているワイヤーの方の足から持ち上げて体重を掛け、反対の足を上げ体重を掛ける、これを繰り返して木登りする事で簡単に行える物ものある。
【実施例】
【０００８】  長靴を履いて特殊下駄（３）（３Ａ）のベルト（９）（９Ａ）に掛ける、また後方ベルト（１２）（１２Ａ）で乗り長靴を抜けないように締め付ける、次に木の一番下の所でスチールワイヤー（２）（２Ａ）一方の端を特殊下駄（３）（３Ａ）の後方内側に常時固定（スチールワイヤー止め（１４）（１４Ａ）で止る）スチールワイヤー（２）（２Ａ）を木に巻く（緩めに）スチールワイヤー（２）（２Ａ）を特殊下駄（３）（３Ａ）のロック用カム（６）（６Ａ）に挟みカムハンドル（１５）（１５Ａ）を少し回転  してスチールワイヤー（２）（２Ａ）を固定します、特殊下駄（３）（３Ａ）に両足のセットが終わり、次は安全ベルトを木に巻き、安全ベルトの両端のフックを腰のベルトの金具に引っ掛けて体を支える、あとは右足をいっぱい上げて体重を掛ける、次に左足をいっぱい上げて体重を掛ける、安全ベルトも毎回両手で上げて行きます、これを繰り返して行くだけで木登りがスムーズに出来るのである。
【産業上の利用可能性】
【０００９】  昔から山の木を切って建築などに使われてきたので、その後地に植林が進んでいます、その木の枝打ち（枝切り）は欠かせないものであります、枝打ちには色々な方法がありますが経済性、安全性、と木を傷つけない事が大事で、木を優しくといった面では本発明はもっとも利用度が大きいものである。
【図面の簡単な説明】
【００１０】
【図１】木と特殊下駄の実施例平面図である。
【図２】木と特殊下駄と実施例のＡ−Ａ正面図である。
【図３】木と特殊下駄と実施例のＢ−Ｂ側面図である。
【符号の説明】
【００１１】１      木                              ２Ａ      スチールワイヤー    左
２      スチールワイヤー  右            ３        特殊下駄            右
３Ａ    特殊下駄          左            １７Ａ    ワイヤー当り金      右
４      長靴止め用ベルトフック  右      １８      特殊下駄の側面板    左内側
４Ａ    長靴止め用ベルトフック  左      １８Ａ    特殊下駄の側面板    右内側
５      変心カム取り付け    右          １９      特殊下駄の側面板    左外側
５Ａ    変心カム取り付け    左          １９Ａ    特殊下駄の側面板    左内側
６      ワイヤー押えカム    右          ２０      長靴止め用ベルトフック左外側
６Ａ    ワイヤー押えカム    左          ２０Ａ    長靴止め用ベルトフック右外側
７      ワイヤー押えカム軸止めナット右  ２１      長靴止め用ベルトフック左内側
７Ａ    ワイヤー押えカム軸止めナット左  ２１Ａ    長靴止め用ベルトフック右内側
８      ワイヤー押えカム軸    右
８Ａ    ワイヤー押えカム軸    左
９      長靴掛けベルト      右
９Ａ    長靴掛けベルト      左
１０    長靴          右
１０Ａ  長靴          左
１１    長靴止め用ベルトフック  右
１１Ａ  長靴止め用ベルトフック  左
１２    長靴止め用ベルト        右
１２Ａ  長靴止め用ベルト        左
１３    長靴止め用ベルトフック  右内側
１３Ａ  長靴止め用ベルトフック  左内側
１４    スチールワイヤー止め    右
１４Ａ  スチールワイヤー止め    左
１５    ワイヤー押さえカムハンドル  右
１５Ａ  ワイヤー押さえカムハンドル  左
１６    長靴止め用ベルトフック  右内側
１６Ａ  長靴止め用ベルトフック  左内側
１７    ワイヤー当り金          左
【図１】
2006014712.tif 000003
【図２】
2006014712.tif 000004
【図３】
2006014712.tif 000005